(57)【要約】【課題】使用していないときには複数台を重ねてコンパクトに収納でき、使用時には脚部が歩行の邪魔になることのないガートル台を提供する。【解決手段】複数台重ねて収納することが可能なガートル台１０であって、支柱部２１が取り付けられた中央部２２から先端に向かうにしたがって漸次低くなるように傾斜した少なくとも３本以上の脚部２０が放射状に延びるとともに、周方向に等間隔に配置され、各脚部２０の基端部間の間隔ｗ０が該脚部２０の幅ｗ１よりも大きく形成されている。【選択図】      図１
2014090808.tif 000002
【特許請求の範囲】
【請求項１】
複数台重ねて収納することが可能なガートル台であって、支柱部が取り付けられた中央部から先端に向かうにしたがって漸次低くなるように傾斜した少なくとも３本以上の脚部が放射状に延びるとともに、周方向に等間隔に配置され、各脚部の基端部間の間隔が該脚部の幅よりも大きく形成されていることを特徴とするガートル台。
【請求項２】
各脚部の基端部間には、該脚部よりも幅が大きく、斜め下方に向けて開放状態とされるガイド溝がそれぞれ形成されていることを特徴とする請求項１記載のガートル台。
【請求項３】
前記ガイド溝は、水平面に対する前記脚部上面の傾斜角度と同じ傾斜角度で形成された受け面を有することを特徴とする請求項２記載のガートル台。
【請求項４】
前記ガイド溝に、ゴム又は樹脂により形成されたストッパー部材が設けられていることを特徴とする請求項２又は３に記載のガートル台。
【請求項５】
前記脚部が５本設けられており、各脚部の先端部から基端部までの高さが６８ｍｍ以上１０８ｍｍ以下に設定されるとともに、前記脚部の上面の水平面からの傾斜角度が２５°以上４５°以下に設定されていることを特徴とする請求項１から４のいずれか一項に記載のガートル台。
【発明の詳細な説明】
【技術分野】
【０００１】
本発明は、患者等の使用車が輸液バッグ等を吊り下げて移動することができるガートル台に関し、特に、複数台を重ねてコンパクトに収納可能なガートル台に関する。
【背景技術】
【０００２】
一般に、ガートル台は、点滴の輸液バッグなどを吊り下げた状態で患者等の使用者が円滑に移動できるようにするために複数の脚部が放射状に設けられ、この脚部にキャスタが設けられている。このようなガートル台を複数収納する場合、放射状の脚部同士が隣接するガートル台の脚部に接触することで各脚部の設置面積が必要になるため、通常は設置スペースが広くなる。
【０００３】
この対策として、例えば、特許文献１の点滴スタンドが開示されている。この点滴スタンドでは、基部に対して複数のセグメント部材が同一平面内に設けられ、これらのセグメント部材よりも高い位置に張出部材が設けられ、この張出部材に柱部が設けられている。このような構成とすることで、セグメント部材同士を同一平面内で重ね合わせるようにし、複数の点滴スタンドを互いに近接した状態で格納しようとしている。
【先行技術文献】
【特許文献】
【０００４】
【特許文献１】特表２０１１‐５０５９６２号公報
【発明の概要】
【発明が解決しようとする課題】
【０００５】
しかしながら、特許文献１の点滴スタンドでは、セグメント部材同士を重ね合わせることで近接させて格納することはできるものの、使用時にはセグメント部材が同一平面内に設けられていることで、このセグメント部材が歩行の邪魔になって移動しにくくなるという問題があった。
【０００６】
本発明は、このような事情に鑑みてなされたもので、使用していないときには複数台を重ねてコンパクトに収納でき、使用時には脚部が歩行の邪魔になることのないガートル台を提供することを目的とする。
【課題を解決するための手段】
【０００７】
本発明は、複数台重ねて収納することが可能なガートル台であって、支柱部が取り付けられた中央部から先端に向かうにしたがって漸次低くなるように傾斜した少なくとも３本以上の脚部が放射状に延びるとともに、周方向に等間隔に配置され、各脚部の基端部間の間隔が該脚部の幅よりも大きく形成されていることを特徴とする。
【０００８】
このガートル台によれば、各脚部の基端部間の間隔が、それぞれの脚部の幅よりも大きく形成されていることから、被挿入側のガートル台の２本の脚部同士の間に設けられる空間部に、挿入側のガートル台の１本の脚部を挿入して中央部の下方に格納することが可能となり、コンパクト化を図りながら複数台を収納可能となる。
また、各脚部は、周方向に均等配置されていることから、被挿入側のガートル台がいかなる方向で配置されていたとしても、いずれか２本の脚部同士の間に挿入側のガートル台の脚部を格納することができる。
さらに、使用時においては、中央部の下方の空間内に使用者の足を入れることができ、この場合、脚部は中央部から低い位置に向けて放射状に延び、中央部が高い位置にあることから、中央部下方の空間が大きくなり、足を入れるスペースを大きく確保することができる。このため、脚部が使用者の邪魔になることがなく無理のない姿勢でスムーズな歩行が可能となる。
【０００９】
本発明のガートル台において、各脚部の基端部間には、該脚部よりも幅が大きく、斜め下方に向けて開放状態とされるガイド溝がそれぞれ形成されている。
また、前記ガイド溝は、水平面に対する前記脚部上面の傾斜角度と同じ傾斜角度で形成された受け面を有する。
ガイド溝に脚部を挿入することで、被挿入側のガートル台と挿入側のガートル台とのガタつきを小さくして安定した状態で保持することができるとともに、挿入側のガートル台の脚部を被挿入側のガートル台の中央部下方のより深い位置まで挿入することが可能となる。そして、ガイド溝の受け面を、脚部の上面と同じ傾斜角度で形成することにより、各ガートル台を最大限近接させた状態でコンパクトに収納できる。
また、前記ガイド溝に、ゴム又は樹脂により形成されたストッパー部材を設け、衝撃緩和や音対策を施すようにしてもよい。
【００１０】
本発明のガートル台において、前記脚部が５本設けられており、各脚部の先端部から基端部までの高さを６８ｍｍ以上１０８ｍｍ以下に設定するとともに、前記脚部の上面の水平面からの傾斜角度を２５°以上４５°以下に設定することが望ましい。
この場合、脚部の先端部により決定されるガートル台の外周の大きさをコンパクトにしながらも、支柱部を安定した状態で支持することができる。
脚部の先端部から基端部までの高さが６８ｍｍ未満では、被挿入側のガートル台の中央部の下方に、挿入側のガートル台の脚部を挿入するスペースを十分に確保することが難しい。また、１０８ｍｍを超える場合には、ガートル台の重心位置が高くなり、設置が不安定になるおそれがある。そして、脚部の上面の水平面からの傾斜角度が２５°未満では、ガートル台の設置面積が大きくなるし、傾斜角度が４５°を超える場合には重心位置が高くなり、設置が不安定になるおそれがある。
【発明の効果】
【００１１】
本発明によれば、使用していないときには脚部を重ね合わせながら複数台をコンパクトに収納でき、使用時には脚部が歩行の邪魔にならずに円滑に歩行することができる。また、各脚部及びガイド溝部を周方向に均等配置したので、被挿入側のガートル台がいかなる方向で配置されていたとしても、いずれか２本の脚部同士の間に挿入側のガートル台の脚部を収納することができ、収納時の作業性向上を図ることできる。
【図面の簡単な説明】
【００１２】
【図１】本発明のガートル台の一実施形態を示す斜視図である。
【図２】図１のガートル台の脚部を示す平面図である。
【図３】図２の脚部の斜視図である。
【図４】図２の脚部のＡ矢視図である。
【図５】図２のＢ‐Ｂ線に沿う断面図である。
【図６】図２の脚部の背面図である。
【図７】脚部を重ね合わせた状態を示すガートル台の全体斜視図である。
【図８】図７に示すガートル台の脚部の重なり状態を示す正面図である。
【図９】図８の上面図である。
【図１０】図９のＣ‐Ｃ線に沿う断面図である。
【発明を実施するための形態】
【００１３】
以下、本発明の一実施形態に係るガートル台１０について、図１〜図１０を参照しながら説明する。
図１において、ガートル台１０は、金属製又は樹脂製の複数の脚部２０、支柱部２１を備え、各脚部２０の中央部２２に支柱部２１が垂直に取り付けられている。
【００１４】
脚部２０は、中央部２２から先端に向かうにしたがって漸次低くなるように放射状に延びて周方向に等間隔に配置されており、少なくとも３本以上設けられている。脚部２０の基端部側、すなわち中央部２２が床面側から最も高い位置にあり、各脚部２０は先端側に向かうにしたがって床面側からの高さが低くなる形状になっている。
本実施形態では、図１〜図１０に示すように、全体で５本の脚部２０が中央部２２からほぼ均等角度に設けられている。また、ガートル台１０の各脚部２０の先端部から基端部までの高さＨは６８ｍｍ以上１０８ｍｍ以下に設定されるとともに、各脚部２０の上面の水平面からの傾斜角度θが２５°以上４５°以下に設定されている。そして、各脚部２０の先端部の下面には、キャスタ２３がそれぞれ取り付けられ、このキャスタ２３によってガートル台１０全体を移動可能になっている。
【００１５】
各脚部２０は、図２、図５及び図６に示すように、各脚部２０の基端部間の間隔ｗ０が、それぞれの脚部２０の幅ｗ１よりも大きく形成され、隣接する２本の脚部２０同士の間には、空間部３０が設けられている。そして、この空間部３０から、隣接する別のガートル台１０の脚部２０を挿入することにより、中央部２２の下方に格納することが可能になっている。
また、２本の脚部２０の基端部間には、下方から繰り抜くようにして斜め下方に向けて開放状態とされるガイド溝２５が設けられており、このガイド溝２５には、水平面に対する脚部２０の上面の傾斜角度θと同じ傾斜角度で形成された受け面２５ｓが設けられている。そして、ガイド溝２５の幅ｗ２は、脚部２０の幅ｗ１よりも大きく形成されている。なお、ガイド溝２５の幅ｗ２は、各脚部２０の基端部間の間隔ｗ０以下に形成される。
また、ガイド溝２５には、衝撃緩和や音対策のために、ゴム又は樹脂により形成されたストッパー部材（図示略）が設けられている。このストッパー部材は、ガイド溝２５の表面に樹脂又はゴムの被覆を固着したもの、あるいは、樹脂又はゴムのコーティングを施したものにより構成することができる。
【００１６】
なお、支柱部２１は、外筒部４０と内筒部４１とからなる二重筒構造であり、外筒部４０が中央部２２に固定され、この外筒部４０に内筒部４１が上下動可能に挿入されている。外筒部４０には、内筒部４１を固定するための固定ねじ部４２が設けられ、内筒部４１を伸縮させて高さを調節した状態で固定ねじ部４２を締め付けることにより、その高さ位置を固定することができる。
【００１７】
内筒部４１の上端には２つのフック部４５が１８０°反対側に設けられ、このフック部４５に図示しない輸液バック等を掛けることが可能になっている。フック部４５に輸液バッグ等を掛ける場合、上記の内筒部４１を任意の高さに調節すれば使用者の邪魔になることがない。フック部４５は、先端側が内側に曲げられた形状であるため、輸液バッグ等の吊り下げが容易になり、かつ輸液バッグ等が外部側に露出することが防止されるため、外部に干渉したり引っ掛かったりするおそれがない。
【００１８】
支柱部２１の外筒部４０には、固定ねじ部５０により握り部５１が取付けられている。固定ねじ部５０を緩めることで握り部５１を回転方向及び高さ方向に位置調節可能であり、固定ねじ部５０を締め付けることにより所定の位置で握り部５１を固定可能になっている。
握り部５１の下方位置には第２フック部５２が設けられ、この第２フック部５２にも輸液バックを掛けたり、或は図示しない医療機器のケーブルや重量物を掛けることもできる。この場合、第２フック部５２は中心部位となる支柱部２１の近くに設けられていることで、重量物を掛けたときにもガートル台１０全体を安定状態に維持しながら歩行可能となる。
【００１９】
図７は、ガートル台１０に別のガートル台１０を重ねて格納した状態を示し、図８〜図１０では、その格納状態における各脚部２０（２０ａ〜２０ｅ）の重なり状態を示している。なお、図７〜図１０においては、２台のガートル台１０を区別するために、被挿入側のガートル台を符号１０Ａで示し、挿入側のガートル台を符号１０Ｂで示している。また、均等配置され同形状に設けられた各脚部２０についても、２０ａ〜２０ｅの符号で区別している。
【００２０】
複数台のガートル台１０を重ねて収納するには、例えば図７〜図１０に示すように、挿入側のガートル台１０Ｂの脚部２０ａを、被挿入側のガートル台１０Ａの２本の脚部２０ｃ，２０ｄ同士の間に設けられる空間部３０から中央部２２の下方に向けて挿入する。各脚部２０ａ〜２０ｂは、中央部２２から先端側に向かうにつれて隣接する脚部２０との間隔が拡がるように放射状に設けられており、逆を言えば各脚部２０の間隔は基端部側に向かうにしたがって狭くなる。したがって、挿入側の脚部２０ａは、被挿入側の脚部２０ｃ，２０ｄに沿って脚部２０ｃ，２０ｄの基端部間に設けられたガイド溝２５に自然と案内され、脚部２０ａの上面が受け面２５ｓに当接することにより、被挿入側のガートル台１０Ａに挿入側のガートル台１０Ｂが重ねて配置されるようになっている。
このとき、挿入側のガートル台１０Ｂの脚部２０ａは、その先に配置されている被挿入側のガートル台１０Ａの脚部２０ａとぶつからずに近接した状態で配置される。また、挿入側のガートル台１０Ｂの脚部２０ａの両隣に配置される脚部２０ｂ，２０ｅは、被挿入側のガートル台１０Ａ２本の脚部２０ｃ，２０ｄの上方に間隔をあけて重ねられた状態となる。
【００２１】
以上説明したように、このガートル台１０によれば、各脚部２０の基端部間の間隔ｗ０が、それぞれの脚部２０の幅ｗ１よりも大きく形成されていることから、被挿入側のガートル台１０（１０Ａ）の２本の脚部２０（２０ｃ，２０ｄ）同士の間に設けられた空間部３０に、挿入側のガートル台１０（１０Ｂ）の１本の脚部２０（２０ａ）を挿入して中央部２２の下方に格納することが可能となる。そして、脚部２０同士を重ね合わせた状態で格納することができるため、脚部を重ねない場合に比較して同じスペースにより多くの台数を収納可能となる。
また、各脚部２０は、周方向に均等配置されていることから、被挿入側のガートル台１０（１０Ａ）がいかなる方向で配置されていたとしても、いずれか２本の脚部同士の間に挿入側のガートル台１０（１０Ｂ）の脚部２０を格納することができる。
【００２２】
さらに、脚部２０は中央部２２から低い位置に向けて放射状に延び、中央部２２が高い位置にあることから、中央部２２の下方の空間が大きくなり、使用者の足を入れるスペースを大きく確保することができる。このため、使用時に、支柱部２１を手で引き寄せながら歩行したときにも脚部２０が使用者の邪魔になることがなく無理のない姿勢でスムーズな歩行が可能となる。
【００２３】
また、本実施形態のガートル台１０には、各脚部２０の基端部間にガイド溝２５が設けられており、ガイド溝２５に脚部２０（２０ａ）を挿入することにより、被挿入側のガートル台１０（１０Ａ）と挿入側のガートル台１０（１０Ｂ）とのガタつきを小さくして安定した状態で保持することが可能になっている。さらに、ガイド溝２５の受け面２５ｓを、水平面に対する脚部２０上面の傾斜角度θと同じ傾斜角度で形成したので、挿入側のガートル台１０（１０Ｂ）の脚部２０（２０ａ）を被挿入側のガートル台１０（１０Ａ）の中央部２２下方のより深い位置まで挿入することが可能となり、各ガートル台１０を最大限近接させた状態でコンパクトに収納することができる。
【００２４】
なお、上記実施形態において、各脚部２０の先端部から基端部までの高さＨを６８ｍｍ以上１０８ｍｍ以下に設定するとともに、脚部２０の上面の水平面からの角度θを２５°以上４５°以下に設定したが、この場合、脚部２０の先端部により決定されるガートル台１０の外周の大きさをコンパクトにしながらも、支柱部２１を安定した状態で支持することができる。
脚部２０の先端部から基端部までの高さＨが６８ｍｍ未満では、被挿入側のガートル台１０（１０Ａ）の中央部２２の下方に、挿入側のガートル台１０（１０Ｂ）の脚部２０を挿入するスペースを十分に確保することが難しい。また、１０８ｍｍを超える場合には、ガートル台１０の重心位置が高くなり、設置が不安定になるおそれがある。そして、脚部２０の上面の水平面からの傾斜角度θが２５°未満では、ガートル台１０の設置面積が大きくなるし、傾斜角度θが４５°を超える場合には重心位置が高くなり、設置が不安定になるおそれがある。
【００２５】
なお、本発明は、上記実施形態に限定されるものではなく、本発明の趣旨を逸脱しない範囲において種々の変更を加えることが可能である。
【符号の説明】
【００２６】
１０，１０Ａ，１０Ｂ  ガートル台
２０，２０ａ〜２０ｅ  脚部
２１  支柱部
２２  中央部
２３  キャスタ
２５  ガイド溝
２５ｓ  受け面
３０  空間部
４０  外筒部
４１  内筒部
４２  固定ねじ部
４５  フック部
５０  固定ねじ部
５１  握り部
５２  第２フック部
【図１】
2014090808.tif 000003
【図２】
2014090808.tif 000004
【図３】
2014090808.tif 000005
【図４】
2014090808.tif 000006
【図５】
2014090808.tif 000007
【図６】
2014090808.tif 000008
【図７】
2014090808.tif 000009
【図８】
2014090808.tif 000010
【図９】
2014090808.tif 000011
【図１０】
2014090808.tif 000012